(57)【要約】      （修正有）【課題】魚を掴まなくても簡単に且つ強制的に釣り針から外せるようにする。【解決手段】釣り上げた魚を入れる容器１の上方に水平方向に設けた釣り糸の引っ掛け部材２と、該釣り糸と引っ掛け部材２とに係合する魚外し治具３とからなり、該魚外し治具３は、把持部の先端に、前記引っ掛け部材に引っ掛けた釣り糸を両側から挟むようにして引っ掛け部材に係合する一対の鈎部を設け、該鈎部の間に前記釣り糸をガイドし且つ釣り針の基端を支持する凹部を設けると共に、該鈎部の間を前進・後退させることができる魚押し部を設ける。それによって、釣り糸の引っ掛け部材２に引っ掛けた釣り糸６がずれないように魚外し治具で規制すると共に、釣り針の基端側を押さえて針先を下向きにし、更に、魚押し部材を作用させて強制的に魚を外す。【選択図】  図１
2004222718.tif 000002
【特許請求の範囲】
【請求項１】
釣り上げた魚を入れる容器の上方に水平方向に設けた釣り糸の引っ掛け部材と、該釣り糸と引っ掛け部材とに係合する魚外し治具とからなり、
該魚外し治具は、把持部の先端に、前記引っ掛け部材に引っ掛けた釣り糸を両側から挟むようにして引っ掛け部材に係合する一対の鈎部を設け、
該鈎部の間に前記釣り糸をガイドし且つ釣り針の基端を支持する凹部を設けると共に、
該鈎部の間を前進・後退させることができる魚押し部を設けたこと
を特徴とする釣り針に掛かった魚外し装置。
【請求項２】
前記魚外し治具は、
帯状の金属製バネ板材をＵ字状またはＶ字状に折り曲げて把持部を形成し、
一方の端部に一対の鈎部を形成すると共に、他方の端部に魚押し部を形成したこと
を特徴とする請求項１に記載の釣り針に掛かった魚外し装置。
【請求項３】
前記魚外し治具は、
硬質材料で形成された把持部材と回転部材とからなり、
把持部材の先端部側に回転部材が回転可能に取り付けられると共に、把持部材の先端に一対の鈎部が形成され、
前記回転部材に魚押し部が形成されたこと
を特徴とする請求項１に記載の釣り針に掛かった魚外し装置。
【請求項４】
回転部材に、釣り糸のガイド用凹部を設けたこと
を特徴とする請求項３に記載の釣り針に掛かった魚外し装置。
【請求項５】
前記魚外し治具は、
硬質材料で形成されたベース部材とスライド部材とからなり、
前記ベース部材の先端部に一対の鈎部を形成すると共に、基部側にスライド部材の取付部と把持部とを形成し、
前記スライド部材は、先端部に魚押し部を形成し、基部側にプッシュ部を形成したこと
を特徴とする請求項１に記載の釣り針に掛かった魚外し装置。
【発明の詳細な説明】
【０００１】
【発明の属する技術分野】
本発明は、主として港湾の岸壁、防波堤、沿岸の岩場、または漁船上等で魚釣りを行う場合に使用される魚釣りの針に掛かった魚を外す装置に関するものである。
【０００２】
【従来の技術】
従来、この種の魚を外す装置としては、幾つかのものが公知になっている。その中でも釣り糸の引っ掛け部材を用いた外し装置の幾つかが同一出願人に係る発明で公知になっている。この公知技術においては、釣り上げた魚を入れるバケツ等の容器と、該容器に取り付けられ、該容器の上方に水平方向に位置付けされた横棒、即ち、釣り糸の引っ掛け部材とからなるものである。
【０００３】
上記公知技術における容器と、該容器に取り付けられた釣り糸の引っ掛け部材とからなる魚外し装置の一つは、釣り糸の引っ掛け部材である横棒の構造について、断面蒲鉾状にしたり、またはねじれ部分を形成したりして、横棒を変形させた構成にし、釣り針に掛かった魚を外すために、横棒に釣り糸を引っ掛けて、その変形部分に移動させることで、釣り針の針先を下に向けて魚を外そうとするものである（特許文献１参照）。
【０００４】
また、前記公知技術におけるは、容器と、該容器に取り付けられた釣り糸の引っ掛け部材とからなる他の魚外し装置は、主として、釣り糸の引っ掛け部材である横棒の構造と、その横棒を容器の縁部に取り付ける構成について、種々の構成が開示されているものである（特許文献２参照）。
【０００５】
【特許文献１】
特開平９−５１７４８（１〜５頁）
【特許文献２】
特開２０００−１０６８３０（２〜１３頁）
【０００６】
【発明が解決しようとする課題】
しかしながら、上記公知に係る特許文献１及び特許文献２に開示された魚外し装置は、あくまでも釣り糸を引っ掛ける部材である横棒の構成と、容器に対する取付構造とが示されているのみであって、その横棒に釣り糸を引っ掛けて釣り針の針先の向きを下向きにし、魚が自然に外れるのを待つものであるが、釣り針の引っ掛かりが深くて自然に外れない場合がしばしばあり、最終的には、一方の手で魚を掴み他方の手で釣り針を摘んでこじるようにして、釣り針を外す以外に手段がなかったのである。
【０００７】
従って、従来技術の魚外し装置においては、魚を掴まなくても簡単に且つ強制的に釣り針から外せるようにすることに解決課題を有する。
【０００８】
【課題を解決するための手段】
上記の課題を解決する具体的手段として本発明は、釣り上げた魚を入れる容器の上方に水平方向に設けた釣り糸の引っ掛け部材と、該釣り糸と引っ掛け部材とに係合する魚外し治具とからなり、該魚外し治具は、把持部の先端に、前記引っ掛け部材に引っ掛けた釣り糸を両側から挟むようにして引っ掛け部材に係合する一対の鈎部を設け、該鈎部の間に前記釣り糸をガイドし且つ釣り針の基端を支持する凹部を設けると共に、該鈎部の間を前進・後退させることができる魚押し部を設けたことを特徴とする釣り針に掛かった魚外し装置を提供するものである。
【０００９】
この発明において、前記魚外し治具は、帯状の金属製バネ板材をＵ字状またはＶ字状に折り曲げて把持部を形成し、一方の端部に鈎部を形成すると共に、他方の端部に魚押し部を形成したこと；及び前記魚外し治具は、硬質材料で形成された把持部材と回転部材とからなり、把持部材の先端部側に回転部材が回転可能に取り付けられると共に、把持部材の先端に一対の鈎部が形成され、前記回転部材に魚押し部が形成されたこと；回転部材に、釣り糸のガイド用凹部を設けたこと；更に、前記魚外し治具は、硬質材料で形成されたベース部材とスライド部材とからなり、前記ベース部材の先端部に一対の鈎部を形成すると共に、基部側にスライド部材の取付部と把持部とを形成し、前記スライド部材は、先端部に魚押し部を形成し、基部側にプッシュ部を形成したこと；を付加的な要件として含むものである。
【００１０】
本発明に係る釣り針に掛かった魚外し装置は、釣り糸の引っ掛け部材と、該釣り糸と引っ掛け部材とに係合する魚外し治具とからなるものであって、特に、魚外し治具は、釣り糸の引っ掛け部材に引っ掛けた釣り糸がずれないように規制すると共に、釣り針の基端側を押さえて針先を下向きにし、更に、魚押し部材を作用させて強制的に魚を外すことができるのであり、魚を掴んだり釣り針を摘んだりすることなく簡単に釣り針から魚を外すことができるのである。
【００１１】
【発明の実施の形態】
次に、本発明に係る魚釣りの針に掛かった魚を外す装置の幾つかの実施の形態について図面を参照しながら説明する。まず、図１〜５に示した第１の実施の形態に係る魚外し装置は、基本的には釣った魚を収容するためのバケツ等の容器１の上部に水平方向に配設した釣り糸の引っ掛け部材２と、片手に持って操作する魚外し治具３とからなるものである。
【００１２】
釣り糸の引っ掛け部材２は、例えば、防錆加工した針金等が使用され、全体を鈎状に折り曲げてその基端２ａ側を容器１の上縁部に適宜の取付部材４を介して着脱自在に取り付けられるものである。この場合の取付部材４は、例えば、コ字状に形成されていてバケツ（容器）の上縁部に嵌め込み、ねじ等の適宜の締め付け手段５によって安定した状態で取り付けられるものであり、釣り糸の引っ掛け部材２が容器１の上部に略水平状態に位置し、且つ釣り糸６を引っ掛けて引っ張った時に回動しないように位置付け（固定）される。
【００１３】
魚外し治具３は、図２に示したように、例えば、帯状の金属製バネ板材を使用し、このバネ板材をＵ字またはＶ字状に折り曲げて弾性または復元性を有する把持部３１を形成すると共に、該把持部３１から延びる一端部側を略鈎状に折り曲げて魚押し部３２を形成する。
【００１４】
この鈎状に折り曲げた魚押し部３２は、後述する一対の鈎部の間を前進・後退して先端側の平面部３２ａで魚の口部（頭部）を押圧するものであって、該平面部３２ａの自由端部側は、その両側面に切り欠き３２ｂを設けて僅かに細身にすると共に、端縁を浅い山形に切り欠いて釣り糸６（ハリス部分）をガイドし、且つ釣り針に作用する凹部３２ｃを形成してある。
【００１５】
把持部３１から延びる他方の端部側は、曲面をもって外側に折り返して、前記引っ掛け部材２と係合する係合部３３とし、該係合部３３は自由端部の両側に内側に向けて一対の鈎部３３ａが形成されると共に、これら鈎部３３ａ間に外側に折り曲げたガイド部３３ｂが形成され、該ガイド部には、図３に示したように、Ｖ字状の切り欠いた凹部３３ｃが形成されて釣り糸６または釣り針をガイドすると共に釣り針の基端を支持するものである。
【００１６】
このように構成された魚外し装置は、魚７を釣り上げた時に、まず、その魚７を釣り針が掛かったままでバケツ等の容器１内に入れ、図１に示したように、釣り糸の引っ掛け部材２に釣り糸６を引っ掛けて一方の手で引っ張ると、引っ掛け部材２から魚７がぶら下がった状態になる。この状態において、他方の手で魚外し治具３の把持部３１を掴み、引っ掛け部材２と近接した位置においてガイド部３３ｂの凹部３３ｃに釣り糸６が位置する状態で釣り糸６を押さえると共に、鈎部３３ａを引っ掛け部材２の下側から係合させると鈎部３３ａの間に釣り糸６を両側から挟むようにして規制し、魚７が跳ねていても、釣り糸６の位置ずれが生じなくなる。
【００１７】
この状態で、更に、釣り糸６を引っ張ると、図４に示したように、釣り針８の基端８ａ側が引っ掛け部材２を越えるようになり、釣り針８の基端８ａをガイド部３３ｂの凹部３３ｃで押さえる状態になると共に、魚の重みで必然的に針先８ｂが下を向いた状態になる。なお、魚７は、魚押し部３２の存在により、引っ掛け部材２を越えることはない。
【００１８】
釣り針８の針先８ｂが下を向いた時点で、大概の魚は釣り針８から外れるが、それでも外れない場合には、魚外し治具３の把持部３１を少し強く複数回握ることによって、魚押し部３２が、仮装線で示したように、釣り針８に沿って鈎部３３ａの間を、引っ掛け部材２を越えて前進し魚の口部（頭部）を複数回、針先方向に押圧することにより強制的に魚を釣り針８から外すことができるのである。なお、この場合には、引っ掛け部材２に対する魚外し治具３の操作角度を矢印ａで示したように、把持部３１側を下方に下げることによって、針先８ｂがより一層下向きになって、魚が外れ易くなる。
【００１９】
次に、第２の実施の形態に係る魚外し装置を図５〜７に示してある。この実施の形態においては、主として魚外し治具を改良したものであり、バケツなどの容器及び釣り糸の引っ掛け部材については、前記第１の実施の形態のものと実質的に同じものが使用されるので、それらについては詳細な図示と説明は重複するので省略し、同一部分には同一符号を付して説明する。
【００２０】
図５に示したように、第２の実施の形態に係る魚外し治具４０は、前記第１の実施の形態と同様に帯状の金属製バネ板材を使用し、このバネ板材をＵ字またはＶ字状に折り曲げて弾性または復元性を有する把持部４１を形成すると共に、該把持部４１から延びる一端部側をコ字状に折り曲げて魚押し部４２を形成する。
【００２１】
このコ字状に折り曲げて形成した魚押し部４２は、先端側の平面部４２ａで魚の口部（頭部）を押圧し、該平面部４２ａから内側に折り曲げられている平面部４２ｂで釣り糸６（ハリス部分）をガイドし、且つ釣り針に作用するものであって、釣り糸６をガイドするために、平面部４２ｂの自由端部から平面部４２ａに至る位置を僅かに越えてＶ字状のガイド溝４２ｃが形成されている。
【００２２】
把持部４１から延びる他方の端部側は、更にＵ字状に折り返して保護部４１ａを形成し、該保護部４１ａの端部側は曲面をもって外側に折り返して引っ掛け部材２と係合する係合部４３を形成し、該係合部４３は自由端部の両側に内側に向けて一対の鈎部４３ａが形成されると共に、これら鈎部４３ａ間に山形のガイド部４３ｂが形成され、該ガイド部４３ｂには、図６に示したように、Ｖ字状の切り欠いた凹部４３ｃが形成されて釣り糸６または釣り針８をガイドする。
【００２３】
このように構成された第２の実施の形態に係る魚外し装置は、前記第１の実施の形態と同様に、魚を釣り上げた時には、釣り針が掛かったままで魚をバケツ等の容器１内に入れ、釣り糸の引っ掛け部材２に釣り糸６を引っ掛けて一方の手で引っ張り、他方の手で魚外し治具４０の把持部４１を掴み、引っ掛け部材２と近接した位置においてガイド部４３ｂの凹部４３ｃに釣り糸６が位置する状態で釣り糸６を押さえると共に、鈎部４３ａを引っ掛け部材２の下側から係合させて鈎部４３ａの間で釣り糸６を両側から挟むようにして規制し、魚の動きと釣り糸６の移動を抑制するのである。
【００２４】
この状態で、更に、釣り糸６を引っ張ると、図７に示したように、釣り針８の基端８ａ側が引っ掛け部材２を越えるようになり、釣り針８の基端８ａをガイド部４３ｂの凹部４３ｃで押さえる状態になると共に、魚の重みで必然的に針先８ｂが下を向いた状態になる。なお、魚は、魚押し部４２の存在によって、引っ掛け部材２を越えて手前に来ることはない。
【００２５】
釣り針８の針先８ｂが下を向いた時点で、大概の魚は釣り針８から外れるが、それでも外れない場合には、魚外し治具４０の把持部４１を少し強く複数回握ることによって、魚押し部４２が、仮装線で示したように、釣り針８に沿って鈎部４３ａの間を、引っ掛け部材２を越えて前進し魚の口部（頭部）を複数回、針先方向に押圧することによって強制的に魚を釣り針８から外すことができるのである。また、魚外し治具４０には保護部４１ａが設けられているので、魚が跳ねていても、把持部４１を握った手を魚の背びれ等で傷付ける虞がないのである。
【００２６】
次に、第３の実施の形態に係る魚外し装置を図８〜１０に示してある。この実施の形態においても、主として魚外し治具を改良したものであり、バケツなどの容器及び釣り糸の引っ掛け部材については、前記第１の実施の形態のものと実質的に同じものが使用されるので、それらについては詳細な図示と説明は重複するので省略し、同一部分には同一符号を付して説明する。
【００２７】
図８に示したように、第３の実施の形態に係る魚外し治具５０は、例えば、木材、竹材、金属またはプラスチック等の硬質材料で形成したものであり、概ね把持部材５１と回転部材５２とにより構成されている。把持部材５１は、把持部５３と回転部材５２の取付部５４とから構成され、把持部５３は片手で握りやすい適宜の形状に形成されている。
【００２８】
取付部５４は、図９に示したように、板状の支持部５５が対峙した状態で形成され、長さ方向中央部に空間部５６が設けられている。そして、各支持部５５の先端部はそれぞれ長さの異なる二股の支片５７，５８に形成され、長さの長い方の各支片５７には、釣り糸引っ掛け部材２に係合させるための鈎部５７ａを内側向きにそれぞれ形成し、長さの短い方の支片５８には、回転部材５２を取り付けるための軸孔５８ａを設けてある。また、対峙する支持部５５の先端部寄りで、且つ二股の分岐点近傍に釣り糸６及び釣り針８をガイドするためと支持部５５の先端部が開かないように連結部５９が一体的に形成されている。なお、図示していないが連結部５９の外側中央部には、釣り糸６及び釣り針８をガイドするためのＶ字状に切り欠いた凹部が形成されている。
【００２９】
回転部材５２は、図１０に示したように、本体部６０の上部から略直角のアーム部６１を一体に突出形成し、該アーム部６１の先端に略楔形状を呈する魚押し部６２を一体に形成してある。この場合に、楔形状の先端が下向きになるようにアーム部６１と直行する状態で魚押し部６２を形成し、該魚押し部６２の先端部中央位置に、釣り針８がガイドされる切り欠き部または凹部６２ａを形成してある。
【００３０】
本体部６０の上部で前記アーム部６１と対向する側に、前記把持部材５１への取付用の軸孔６３を設けると共に、該軸孔６３の下部位置に、回転時に前記連結部５９を避けるための所要大きさの抉り部６４が形成され、該抉り部６４に隣接して傾斜面６５ａを有する突出部６５が形成されると共に、該突出部６５の下部側は内側に曲面をもって凹ませて指掛け部６５ｂを形成する。そして、突出部６５の前面側（図において左側）中央部に、釣り糸６及び釣り針８をガイドするためのＶ字状に切り欠いた凹部６５ｃを縦方向に形成し、該凹部６５ｃは抉り部６４の略中間部位から底部の略中間部位まで達する程度に形成してある。
【００３１】
このように形成された回転部材５２は、前記把持部材５１の空間部５６内に嵌め込むようにして位置させ、把持部材５１側の軸孔５８ａと回転部材５２側の軸孔６３とを位置合わせして軸部材６６を挿通して取り付けることにより、把持部材５１に対して回転部材５２が所要の角度範囲において回転できるのである。
【００３２】
この第３の実施の形態に係る魚外し装置の使用においても、前記第１の実施の形態と同様に、魚を釣り上げた時には、釣り針が掛かったままで魚をバケツ等の容器１内に入れ、釣り糸の引っ掛け部材２に釣り糸６を引っ掛けて一方の手で引っ張り、他方の手で魚外し治具５０の把持部材５１を掴み、引っ掛け部材２と近接した位置において、回転部材５２の凹部６５ｃに釣り糸６が位置する状態で釣り糸６を押さえると共に、鈎部５７ａを引っ掛け部材２の下側から係合させて鈎部５７ａの間で釣り糸６を両側から挟むようにして規制し、魚の動きと釣り糸６の移動を抑制する。
【００３３】
次いで、更に、釣り糸６を引っ張ると、前記図７について説明したように、釣り針８の基端８ａ側が引っ掛け部材２を越えるようになり、釣り針８の基端８ａを連結部５９のＶ字状凹部で押さえる状態になると共に、魚の重みで必然的に針先８ｂが下を向いた状態になる。なお、魚は、魚押し部６２の存在によって、引っ掛け部材２を越えて手前に来ることはない。そして、釣り針８の針先８ｂが下を向いた時点で、大概の魚は釣り針８から外れるが、それでも外れない場合には、回転部材５２の指掛け部６５ｂに指を掛け引き金を引く要領で複数回操作することよって、魚押し部６２が凹部６２ａで釣り針８にガイドされて鈎部５７ａの間から前進し、魚の口部（頭部）を複数回、針先方向に押圧することによって強制的に魚を釣り針８から外すことができるのである。この場合に、魚押し部６２は、軸部材６６を介して回転するため、釣り針８の曲面に沿って針先方向に前進する魚を外す効率が良いのである。
【００３４】
更に、第４の実施の形態に係る魚外し装置を図１１〜１３に示してある。この実施の形態においても、前記第３の実施の形態と同様に魚外し治具を改良したものであり、バケツ等の容器及び釣り糸の引っ掛け部材については、前記第１の実施の形態のものと実質的に同じものが使用されるので、それらについては詳細な図示と説明は重複するので省略し、同一部分には同一符号を付して説明する。
【００３５】
図１１に示したように、第４の実施の形態に係る魚外し治具７０は、前記第３の実施の形態と同様の硬質材料で形成したものであり、把持部材７１と回転部材７２とにより構成されている。把持部材７１は、把持部７３と回端部材７２の取付部７４とから構成され、把持部７３は片手で握りやすい適宜の形状に形成されている。
【００３６】
取付部７４は、図１２に示したように、板状の支持部７５が対峙した状態で形成され、長さ方向中央部に空間部７６が設けられている。そして、各支持部７５の先端部にはそれぞれ鈎部７７が形成されると共に、先端部寄りで且つ鈎部７７が向く方向とは反対の側面寄りに回転部材７２を取り付けるための軸孔７８を設けてある。また、対峙する支持部７５の先端部寄りで、且つ軸孔７８と対向する側面寄りに釣り糸６及び釣り針８をガイドするためと支持部７５の先端部が開かないように連結部７９が一体的に形成され、該連結部７９の中央部にガイド用のＶ字状凹部７９ａが形成されている。
【００３７】
回転部材７２は、図１３に示したように、その本体部８０が全体の外形として円弧状と直線状とを有する半月状または蒲鉾状を呈するものであり、直線状の部分における一方の端部側の平面部を魚押し部８１に形成し、該魚押し部８１に隣接して、回転時に前記把持部材に７１に設けた連結部７９を避けるための所要大きさの抉り部８２が形成され、更に、該抉り部８２に隣接して突出部８３が一体に形成される。また、直線状の他方の端部側の平面部を指掛け部８４として形成してある。
【００３８】
魚押し部８１は、魚押しの効率を高めるためにその平面部を本体部８０の端面よりも段差８０ａをもって僅かに広く形成すると共に、抉り部８２との境の辺の略中央位置に釣り糸６及び釣り針８をガイドし且つ支持するための切り欠き部８１ａを形成してある。
【００３９】
突出部８３は、抉り部８２との境界部位を抉り部８２側に僅かに突出させ、該突出部に、前記把持部材７１への取付用の軸孔８３ａを設けると共に、該軸孔８３ａを左右に分割するように、長さ方向に沿って中央部に、釣り糸６をガイドするためのＶ字状に切り欠いたガイド凹部８３ｂを形成し、該ガイド凹部８３ｂのＶ字状は指掛け部８４側が拡がった形状に形成してある。
【００４０】
このように形成された回転部材７２は、前記把持部材７１の空間部７６内に嵌め込むようにして位置させ、把持部材７１側の軸孔７８と回転部材７２側の軸孔８３ａとを位置合わせして軸部材８６を挿通して取り付けることにより、把持部材７１に対して回転部材７２が所要の角度範囲において回転できるのである。
【００４１】
この第４の実施の形態に係る魚外し装置の使用においても、前記第１の実施の形態と同様に、魚を釣り上げた時には、釣り針が掛かったままで魚をバケツ等の容器１内に入れ、釣り糸の引っ掛け部材２に釣り糸６を引っ掛けて一方の手で引っ張り、他方の手で魚外し治具７０の把持部材７１を掴み、引っ掛け部材２と近接した位置において回転部材７２のガイド凹部８３ｂに釣り糸６が位置する状態で釣り糸６を押さえると共に、鈎部７７を引っ掛け部材２の下側から係合させて鈎部７７の間で釣り糸６を両側から挟むようにして規制し、魚の動きと釣り糸６の移動を抑制する。
【００４２】
次いで、更に、釣り糸６を引っ張ると、前記図７について説明したように、釣り針８の基端８ａ側が引っ掛け部材２を越えるようになり、釣り針８の基端８ａを連結部７９のＶ字状凹部７９ａで押さえる状態になると共に、魚の重みで必然的に針先８ｂが下を向いた状態になる。なお、魚は、魚押し部８１の存在によって、引っ掛け部材２を越えて手前に来ることはない。そして、釣り針８の針先８ｂが下を向いた時点で、大概の魚は釣り針８から外れるが、それでも外れない場合には、回転部材７２の指掛け部８４に指を掛け引き金を引く要領で複数回操作することよって、魚押し部８１が凹部８１ａで釣り針８にガイドされて鈎部７７の間から前進し、魚の口部（頭部）を複数回、針先方向に押圧することによって強制的に魚を釣り針８から外すことができるのである。この場合に、魚押し部８１は、軸部材８６を介して回転するため、釣り針８の曲面に沿って針先方向に前進する魚を外す効率が良いのである。
【００４３】
更にまた、第５の実施の形態に係る魚外し装置を図１４〜１６に示してある。この実施の形態においても、魚外し治具を改良したものであり、バケツ等の容器及び釣り糸の引っ掛け部材については、前記第１の実施の形態のものと実質的に同じものが使用されるので、それらについては詳細な図示と説明は重複するので省略し、同一部分には同一符号を付して説明する。
【００４４】
図１４に示したように、第５の実施の形態に係る魚外し治具９０は、前記第３の実施の形態と同様の硬質材料で形成したものであり、ベース部材９１とスライド部材９２とにより構成され、全体がピストル形状を呈するものである。ベース部材９１は、その上面が全面的に平面であるが、略中央部から先端部側９３と基部側９４とがテーパー状の僅かな段差９１ａをもって一連に形成され、基部側９４の上部に、段差９１ａを僅かに越えて、スライド部材９２の取付部９５を設けると共に、基部側９４の端部から斜め下方に延設して把持部９６が形成されている。
【００４５】
先端部側９３の先端部には、両側面から斜め上方に係止片９７をそれぞれ突出形成し、該各係止片９７の端部に上向きの鈎部９７ａをそれぞれ形成し、これら係止片９７の間には、釣り糸６と釣り針８とをガイドするためのＶ字状のガイド凹部９３ａが形成されている。また、基部側９４には、長さ方向に沿って長孔９４ａが形成され、取付部９５は、その内部に長さ方向に沿って挿通孔９５ａが設けられた、いわゆるトンネル状となっており、該挿通孔９５ａの先端側にデルタ状のストッパー９５ｂが形成されている。
【００４６】
スライド部材９２は、図１６に示したように、前記ベース部材９１の上面形状に略対応した形状を有するものであり、略中央部から先端部側１０１と基部側１０２とがテーパー状の僅かな段差９２ａをもって一連に形成され、先端部側１０１の先端部は、上方に僅かに持ち上げた形状にして矩形状の魚押し部１０３を形成してある。この場合に、魚押し部１０３は、スライド部材９２の断面よりも左右と下部とに拡径した大きさに形成され、その魚押し部１０３の下面には、略中央位置に釣り針８にガイドされるＶ字状の切り欠いた凹部１０３ａを形成し、更に、魚押し部１０３が形成された背面側の下部はテーパー面１０１ａに形成してある。
【００４７】
また、基部側１０２には、その略中央部から下部に延設した操作用の桿部材１０４が形成されると共に、基部側１０２の端部には操作用のプッシュ部１０５が拡径した形状で形成されている。
【００４８】
このように形成したスライド部材９２は、前記ベース部材９１の取付部９５における挿通孔９５ａに組み込まれると、遊嵌状態で且つスライド自在に配設されると共に、桿部材１０４は基部側９４の長孔９４ａから突出した状態になる。
【００４９】
この第５の実施の形態に係る魚外し装置の使用においても、前記第１の実施の形態と同様に、魚を釣り上げた時には、釣り針が掛かったままで魚をバケツ等の容器１内に入れ、釣り糸の引っ掛け部材２に釣り糸６を引っ掛けて一方の手で引っ張り、他方の手で魚外し治具９０の把持部９６を掴み、引っ掛け部材２と近接した位置においてベース部材９１の先端部に設けたガイド凹部９３ａに釣り糸６が位置する状態で釣り糸６を押さえると共に、鈎部９７ａを引っ掛け部材２の下側から係合させて鈎部９７ａの間で釣り糸６を挟むようにして規制し、魚の動きと釣り糸６の移動を抑制する。
【００５０】
次いで、更に、釣り糸６を引っ張ると、前記図７について説明したように、釣り針８の基端８ａ側が引っ掛け部材２を越えるようになり、釣り針８の基端８ａをガイド凹部９３ａで押さえる状態になると共に、魚の重みで必然的に針先８ｂが下を向いた状態になる。なお、魚は、魚押し部１０３の存在によって、引っ掛け部材２を越えて手前に来ることはない。そして、釣り針８の針先８ｂが下を向いた時点で、大概の魚は釣り針８から外れるが、それでも外れない場合には、把持部９６を掴んでいる手の親指でプッシュ部１０５を複数回押圧操作することよって、スライド部材９２が前進し、魚押し部１０３が鈎部９７ａの間から、釣り針８で凹部１０３ａがガイドされて前進して魚の口部（頭部）を複数回、針先方向に押圧することにより強制的に魚を釣り針８から外すことができるのである。
【００５１】
釣り針８から魚を外した後に、把持部９６を掴んでいる手の人差し指を桿部材１０４に掛けて、引き金を引く要領で引くと、スライド部材９２は速やかに後退する。この場合に、魚押し部１０３の背面側の下部がテーパー面１０１ａに形成されているので、ベース部材９１の先端部を簡単に乗り越えて元の位置に戻るのである。
【００５２】
いずれの実施の形態においても、釣り上げた魚を入れる容器の上方に設けた釣り糸の引っ掛け部材と、該引っ掛け部材に係合させる鈎部と魚押し部とを有する魚外し治具との連係によって、魚に触れることなく簡単に釣り針から魚を外すことができるのである。
【００５３】
【発明の効果】
以上説明したように、本発明に係る釣り針に掛かった魚外し装置は、釣り上げた魚を入れる容器の上方に水平方向に設けた釣り糸の引っ掛け部材と、該釣り糸と引っ掛け部材とに係合する魚外し治具とからなり、該魚外し治具は、把持部の先端に、前記引っ掛け部材に引っ掛けた釣り糸を両側から挟むようにして引っ掛け部材に係合する一対の鈎部を設け、該鈎部の間に前記釣り糸をガイドし且つ釣り針の基端を支持する凹部を設けると共に、該鈎部の間を前進・後退させることができる魚押し部を設けた構成とすることによって、特に、釣り上げた魚を入れる容器の上方に設けた釣り糸の引っ掛け部材と、魚外し治具との組み合わせを不可欠にするものであり、それによって、釣り糸の引っ掛け部材に引っ掛けた釣り糸がずれないように魚外し治具で規制すると共に、釣り針の基端側を押さえて針先を下向きにし、更に、魚押し部材を作用させて強制的に魚を外すことができるのであり、魚を掴んだり釣り針を摘んだりすることなく簡単に釣り針から魚を外すことができるという優れた効果を奏する。
【００５４】
また、魚外し治具に釣り糸のガイド用凹部を設けたことによって、釣り糸の引っ掛け部材に引っ掛けた釣り糸に沿って移動させ、鈎部の間で釣り糸を挟むように抑制するため、釣り針の基端を確実に支持して針先を下向きに維持することができるのであり、取り扱いが容易で且つスムーズに魚を外すことができるという優れた効果を奏する。
【図面の簡単な説明】
【図１】本発明に係る釣り針に掛かった魚外し装置の第１の実施の形態を略字的に示す斜視図である。
【図２】同実施の形態で使用される魚外し治具の具体例を示す斜視図である。
【図３】同魚外し治具における要部、即ち一対の鈎部の構成を示す斜視図である。
【図４】同実施の形態において魚を外す時の釣り針を維持した状態を説明するための要部のみを略示的に示した説明図である。
【図５】本発明に係る釣り針に掛かった魚外し装置の第２の実施の形態で使用される魚外し治具の具体例を示す斜視図である。
【図６】同魚外し治具における要部、即ち一対の鈎部の構成を示す斜視図である。
【図７】同実施の形態において魚を外す時の釣り針を維持した状態を説明するための要部のみを略示的に示した説明図である。
【図８】本発明に係る釣り針に掛かった魚外し装置の第３の実施の形態で使用される魚外し治具の具体例を示す斜視図である。
【図９】同魚外し治具を構成する把持部材を示す斜視図である。
【図１０】同魚外し治具を構成する回転部材を示す斜視図である。
【図１１】本発明に係る釣り針に掛かった魚外し装置の第４の実施の形態で使用される魚外し治具の具体例を示す斜視図である。
【図１２】同魚外し治具を構成する把持部材を示す斜視図である。
【図１３】同魚外し治具を構成する回転部材を示す斜視図である。
【図１４】本発明に係る釣り針に掛かった魚外し装置の第５の実施の形態で使用される魚外し治具の具体例を示す側面図である。
【図１５】同魚外し治具を構成するベース部材の要部、即ち一対の鈎部の構成を示す斜視図である。
【図１６】同魚外し治具を構成するスライド部材を示す斜視図である。
【符号の説明】
１  容器；  ２  釣り糸の引っ掛け部材；  ２ａ  基端；
３、４０、５０、７０、９０  魚外し治具；
４  取付部材；  ５  締め付け手段；  ６  釣り糸；  ７  魚；
８  釣り針、  ８ａ  針先；  ８ｂ  基端；
３１、４１、５３、７３、９６  把持部；  ４１ａ  保護部；
３２、４２、６２、８１、１０３  魚押し部；
３２ａ、４２ａ、４２ｂ  平面部；  ３２ｂ、８１ａ  切り欠き；
３３、４３  係合部；
３３ａ、４３ａ、５７ａ、７７、９７ａ  一対の鈎部；
３３ｂ、４３ｂ  ガイド部；
３３ｃ、４３ｃ、６２ａ、６５ｃ、７９ａ、１０３ａ  凹部；
５１、７１  把持部材；  ５２、７２  回転部材；  ５４、７４  取付部；
５５、７５  支持部；    ５６、７６  空間部；    ５７、５８  支片；
５８ａ、６３、７８、８３ａ  軸孔；    ５９  連結部；
６０  本体部；  ６１  アーム部；  ６４、８２  抉り部；
６５ｂ、８４  指掛け部；  ６６、８６  軸部材；
８３ｂ、９３ａ  ガイド凹部；  ９１  ベース部材；  ９１ａ  段差；
９２  スライド部材；    ９３、１０１  先端部側；  １０１ａ  テーパー面；
９４、１０２  基部側；  ９４ａ  長孔；  ９５  取付部；
９５ａ  挿通孔；    ９５ｂ  ストッパー；  ９７  係止片；
１０４  桿部材；  １０５  プッシュ部。
【図１】
2004222718.tif 000003
【図２】
2004222718.tif 000004
【図３】
2004222718.tif 000005
【図４】
2004222718.tif 000006
【図５】
2004222718.tif 000007
【図６】
2004222718.tif 000008
【図７】
2004222718.tif 000009
【図８】
2004222718.tif 000010
【図９】
2004222718.tif 000011
【図１０】
2004222718.tif 000012
【図１１】
2004222718.tif 000013
【図１２】
2004222718.tif 000014
【図１３】
2004222718.tif 000015
【図１４】
2004222718.tif 000016
【図１５】
2004222718.tif 000017
【図１６】
2004222718.tif 000018
【手続補正書】
【提出日】平成15年3月31日(2003.3.31)
【手続補正１】
【補正対象書類名】明細書
【補正対象項目名】全文
【補正方法】変更
【補正の内容】
【特許請求の範囲】
【請求項１】釣り上げた魚を入れる容器の上方に水平方向に設けた釣り糸の引っ掛け部材と、該釣り糸と引っ掛け部材とに係合する魚外し治具とからなり、
該魚外し治具は、把持部の先端に、前記引っ掛け部材に引っ掛けた釣り針または釣り糸を両側から挟むようにして引っ掛け部材に係合する一対の鈎部を設け、
該鈎部の間に前記釣り糸をガイドし且つ釣り針の基端を支持する凹部を設けると共に、
該鈎部の間を前進・後退させることができる魚押し部を設けたこと
を特徴とする釣り針に掛かった魚外し装置。
【請求項２】前記魚外し治具は、
帯状の金属製バネ板材をＵ字状またはＶ字状に折り曲げて把持部を形成し、
一方の端部に一対の鈎部を形成すると共に、他方の端部に魚押し部を形成したこと
を特徴とする請求項１に記載の釣り針に掛かった魚外し装置。
【請求項３】前記魚外し治具は、
硬質材料で形成された把持部材と回転部材とからなり、
把持部材の先端部側に回転部材が回転可能に取り付けられると共に、把持部材の先端に一対の鈎部が形成され、
前記回転部材に魚押し部が形成されたこと
を特徴とする請求項１に記載の釣り針に掛かった魚外し装置。
【請求項４】回転部材に、釣り糸のガイド用凹部を設けたこと
を特徴とする請求項３に記載の釣り針に掛かった魚外し装置。
【請求項５】前記魚外し治具は、
硬質材料で形成されたベース部材とスライド部材とからなり、
前記ベース部材の先端部に一対の鈎部を形成すると共に、基部側にスライド部材の取付部と把持部とを形成し、
前記スライド部材は、先端部に魚押し部を形成し、基部側にプッシュ部を形成したこと
を特徴とする請求項１に記載の釣り針に掛かった魚外し装置。
【発明の詳細な説明】
【０００１】
【発明の属する技術分野】
本発明は、主として港湾の岸壁、防波堤、沿岸の岩場、または漁船上等で魚釣りを行う場合に使用される魚釣りの針に掛かった魚を外す装置に関するものである。
【０００２】
【従来の技術】
従来、この種の魚を外す装置としては、幾つかのものが公知になっている。その中でも釣り糸の引っ掛け部材を用いた外し装置の幾つかが同一出願人に係る発明で公知になっている。この公知技術においては、釣り上げた魚を入れるバケツ等の容器と、該容器に取り付けられ、該容器の上方に水平方向に位置付けされた横棒、即ち、釣り糸の引っ掛け部材とからなるものである。
【０００３】
上記公知技術における容器と、該容器に取り付けられた釣り糸の引っ掛け部材とからなる魚外し装置の一つは、釣り糸の引っ掛け部材である横棒の構造について、断面蒲鉾状にしたり、またはねじれ部分を形成したりして、横棒を変形させた構成にし、釣り針に掛かった魚を外すために、横棒に釣り糸を引っ掛けて、その変形部分に移動させることで、釣り針の針先を下に向けて魚を外そうとするものである（特許文献１参照）。
【０００４】
また、前記公知技術におけるは、容器と、該容器に取り付けられた釣り糸の引っ掛け部材とからなる他の魚外し装置は、主として、釣り糸の引っ掛け部材である横棒の構造と、その横棒を容器の縁部に取り付ける構成について、種々の構成が開示されているものである（特許文献２参照）。
【０００５】
【特許文献１】
特開平９−５１７４８（１〜５頁）
【特許文献２】
特開２０００−１０６８３０（２〜１３頁）
【０００６】
【発明が解決しようとする課題】
しかしながら、上記公知に係る特許文献１及び特許文献２に開示された魚外し装置は、あくまでも釣り糸を引っ掛ける部材である横棒の構成と、容器に対する取付構造とが示されているのみであって、その横棒に釣り糸を引っ掛けて釣り針の針先の向きを下向きにし、魚が自然に外れるのを待つものであるが、釣り針の引っ掛かりが深くて自然に外れない場合がしばしばあり、最終的には、一方の手で魚を掴み他方の手で釣り針を摘んでこじるようにして、釣り針を外す以外に手段がなかったのである。
【０００７】
従って、従来技術の魚外し装置においては、魚を掴まなくても簡単に且つ強制的に釣り針から外せるようにすることに解決課題を有する。
【０００８】
【課題を解決するための手段】
上記の課題を解決する具体的手段として本発明は、釣り上げた魚を入れる容器の上方に水平方向に設けた釣り糸の引っ掛け部材と、該釣り糸と引っ掛け部材とに係合する魚外し治具とからなり、該魚外し治具は、把持部の先端に、前記引っ掛け部材に引っ掛けた釣り針または釣り糸を両側から挟むようにして引っ掛け部材に係合する一対の鈎部を設け、該鈎部の間に前記釣り糸をガイドし且つ釣り針の基端を支持する凹部を設けると共に、該鈎部の間を前進・後退させることができる魚押し部を設けたことを特徴とする釣り針に掛かった魚外し装置を提供するものである。
【０００９】
この発明において、前記魚外し治具は、帯状の金属製バネ板材をＵ字状またはＶ字状に折り曲げて把持部を形成し、一方の端部に鈎部を形成すると共に、他方の端部に魚押し部を形成したこと；及び前記魚外し治具は、硬質材料で形成された把持部材と回転部材とからなり、把持部材の先端部側に回転部材が回転可能に取り付けられると共に、把持部材の先端に一対の鈎部が形成され、前記回転部材に魚押し部が形成されたこと；回転部材に、釣り糸のガイド用凹部を設けたこと；更に、前記魚外し治具は、硬質材料で形成されたベース部材とスライド部材とからなり、前記ベース部材の先端部に一対の鈎部を形成すると共に、基部側にスライド部材の取付部と把持部とを形成し、前記スライド部材は、先端部に魚押し部を形成し、基部側にプッシュ部を形成したこと；を付加的な要件として含むものである。
【００１０】
本発明に係る釣り針に掛かった魚外し装置は、釣り糸の引っ掛け部材と、該釣り糸と引っ掛け部材とに係合する魚外し治具とからなるものであって、特に、魚外し治具は、釣り糸の引っ掛け部材に引っ掛けた釣り糸がずれないように規制すると共に、釣り針の基端側を押さえて針先を下向きにし、更に、魚押し部材を作用させて強制的に魚を外すことができるのであり、魚を掴んだり釣り針を摘んだりすることなく簡単に釣り針から魚を外すことができるのである。
【００１１】
【発明の実施の形態】
次に、本発明に係る魚釣りの針に掛かった魚を外す装置の幾つかの実施の形態について図面を参照しながら説明する。まず、図１〜５に示した第１の実施の形態に係る魚外し装置は、基本的には釣った魚を収容するためのバケツ等の容器１の上部に水平方向に配設した釣り糸の引っ掛け部材２と、片手に持って操作する魚外し治具３とからなるものである。
【００１２】
釣り糸の引っ掛け部材２は、例えば、防錆加工した針金等が使用され、全体を鈎状に折り曲げてその基端２ａ側を容器１の上縁部に適宜の取付部材４を介して着脱自在に取り付けられるものである。この場合の取付部材４は、例えば、コ字状に形成されていてバケツ（容器）の上縁部に嵌め込み、ねじ等の適宜の締め付け手段５によって安定した状態で取り付けられるものであり、釣り糸の引っ掛け部材２が容器１の上部に略水平状態に位置し、且つ釣り糸６を引っ掛けて引っ張った時に回動しないように位置付け（固定）される。
【００１３】
魚外し治具３は、図２に示したように、例えば、帯状の金属製バネ板材を使用し、このバネ板材をＵ字またはＶ字状に折り曲げて弾性または復元性を有する把持部３１を形成すると共に、該把持部３１から延びる一端部側を略鈎状に折り曲げて魚押し部３２を形成する。
【００１４】
この鈎状に折り曲げた魚押し部３２は、後述する一対の鈎部の間を前進・後退して先端側の平面部３２ａで魚の口部（頭部）を押圧するものであって、該平面部３２ａの自由端部側は、その両側面に切り欠き３２ｂを設けて僅かに細身にすると共に、端縁を浅い山形に切り欠いて釣り糸６（ハリス部分）をガイドし、且つ釣り針に作用する凹部３２ｃを形成してある。
【００１５】
把持部３１から延びる他方の端部側は、曲面をもって外側に折り返して、前記引っ掛け部材２と係合する係合部３３とし、該係合部３３は自由端部の両側に内側に向けて一対の鈎部３３ａが形成されると共に、これら鈎部３３ａ間に外側に折り曲げたガイド部３３ｂが形成され、該ガイド部には、図３に示したように、Ｖ字状の切り欠いた凹部３３ｃが形成されて釣り糸６または釣り針をガイドすると共に釣り針の基端を支持するものである。
【００１６】
このように構成された魚外し装置は、魚７を釣り上げた時に、まず、その魚７を釣り針が掛かったままでバケツ等の容器１内に入れ、図１に示したように、釣り糸の引っ掛け部材２に釣り糸６を引っ掛けて一方の手で引っ張ると、その引っ張る長さによって釣り針８が引っ掛け部材２に掛かっても引っ掛け部材２から魚７がぶら下がった状態になる。この状態において、他方の手で魚外し治具３の把持部３１を掴み、ガイド部３３ｂの凹部３３ｃに釣り針８または釣り糸６が位置する状態で押さえると共に、鈎部３３ａを引っ掛け部材２の下側から係合させると鈎部３３ａの間で釣り針８または釣り糸６を両側から挟むようにして規制し、魚７が跳ねていても、位置ずれが生じなくなる。
【００１７】
このように釣り糸６を引っ張ってくると、図４に示したように、釣り針８の基端８ａ側が引っ掛け部材２を越えて、釣り針８の基端８ａをガイド部３３ｂの凹部３３ｃで押さえる状態になると共に、魚の重みで必然的に針先８ｂが下を向いた状態になる。また、釣り針８の基端８ａ側が引っ掛け部材２を越えるように引っ張ってから、魚外し治具３を使用して基端８ａを押さえるようにしてもよい。いずれにしても、その使用の仕方は任意である。なお、魚７は、魚押し部３２の存在により、引っ掛け部材２を越えることはない。
【００１８】
釣り針８の針先８ｂが下を向いた時点で、大概の魚は釣り針８から外れるが、それでも外れない場合には、魚外し治具３の把持部３１を少し強く複数回握ることによって、魚押し部３２が、仮装線で示したように、釣り針８に沿って鈎部３３ａの間を、引っ掛け部材２を越えて前進し魚の口部（頭部）を複数回、針先方向に押圧することにより強制的に魚を釣り針８から外すことができるのである。なお、この場合には、引っ掛け部材２に対する魚外し治具３の操作角度を矢印ａで示したように、把持部３１側を下方に下げることによって、針先８ｂがより一層下向きになって、魚が外れ易くなる。
【００１９】
次に、第２の実施の形態に係る魚外し装置を図５〜７に示してある。この実施の形態においては、主として魚外し治具を改良したものであり、バケツなどの容器及び釣り糸の引っ掛け部材については、前記第１の実施の形態のものと実質的に同じものが使用されるので、それらについては詳細な図示と説明は重複するので省略し、同一部分には同一符号を付して説明する。
【００２０】
図５に示したように、第２の実施の形態に係る魚外し治具４０は、前記第１の実施の形態と同様に帯状の金属製バネ板材を使用し、このバネ板材をＵ字またはＶ字状に折り曲げて弾性または復元性を有する把持部４１を形成すると共に、該把持部４１から延びる一端部側をコ字状に折り曲げて魚押し部４２を形成する。
【００２１】
このコ字状に折り曲げて形成した魚押し部４２は、先端側の平面部４２ａで魚の口部（頭部）を押圧し、該平面部４２ａから内側に折り曲げられている平面部４２ｂで釣り糸６（ハリス部分）をガイドし、且つ釣り針に作用するものであって、釣り糸６をガイドするために、平面部４２ｂの自由端部から平面部４２ａに至る位置を僅かに越えてＶ字状のガイド溝４２ｃが形成されている。
【００２２】
把持部４１から延びる他方の端部側は、更にＵ字状に折り返して保護部４１ａを形成し、該保護部４１ａの端部側は曲面をもって外側に折り返して引っ掛け部材２と係合する係合部４３を形成し、該係合部４３は自由端部の両側に内側に向けて一対の鈎部４３ａが形成されると共に、これら鈎部４３ａ間に山形のガイド部４３ｂが形成され、該ガイド部４３ｂには、図６に示したように、Ｖ字状の切り欠いた凹部４３ｃが形成されて釣り糸６または釣り針８をガイドする。なお、保護部４１ａにおける端部側の曲面をもって外側に折り返す部分の近傍を点溶接またはクリップ材で固定化してもよい。
【００２３】
このように構成された第２の実施の形態に係る魚外し装置は、前記第１の実施の形態と同様に、魚を釣り上げた時には、釣り針が掛かったままで魚をバケツ等の容器１内に入れ、釣り糸の引っ掛け部材２に釣り糸６を引っ掛けて一方の手で引っ張り、他方の手で魚外し治具４０の把持部４１を掴み、ガイド部４３ｂの凹部４３ｃに釣り針８または釣り糸６が位置する状態で押さえると共に、鈎部４３ａを引っ掛け部材２の下側から係合させて鈎部４３ａの間で釣り針８または釣り糸６を両側から挟むようにして規制し、魚の動きと釣り針８及び釣り糸６の移動を抑制するのである。
【００２４】
このように釣り糸６を引っ張ってくると、図７に示したように、釣り針８の基端８ａ側が引っ掛け部材２を越えて、釣り針８の基端８ａをガイド部４３ｂの凹部４３ｃで押さえる状態になると共に、魚の重みで必然的に針先８ｂが下を向いた状態になる。なお、魚は、魚押し部４２の存在によって、引っ掛け部材２を越えて手前に来ることはない。
【００２５】
釣り針８の針先８ｂが下を向いた時点で、大概の魚は釣り針８から外れるが、それでも外れない場合には、魚外し治具４０の把持部４１を少し強く複数回握ることによって、魚押し部４２が、仮装線で示したように、釣り針８に沿って鈎部４３ａの間を、引っ掛け部材２を越えて前進し魚の口部（頭部）を複数回、針先方向に押圧することによって強制的に魚を釣り針８から外すことができるのである。また、魚外し治具４０には保護部４１ａが設けられているので、魚が跳ねていても、把持部４１を握った手を魚の背びれ等で傷付ける虞がないのである。
【００２６】
次に、第３の実施の形態に係る魚外し装置を図８〜１０に示してある。この実施の形態においても、主として魚外し治具を改良したものであり、バケツなどの容器及び釣り糸の引っ掛け部材については、前記第１の実施の形態のものと実質的に同じものが使用されるので、それらについては詳細な図示と説明は重複するので省略し、同一部分には同一符号を付して説明する。
【００２７】
図８に示したように、第３の実施の形態に係る魚外し治具５０は、例えば、木材、竹材、金属またはプラスチック等の硬質材料で形成したものであり、概ね把持部材５１と回転部材５２とにより構成されている。把持部材５１は、把持部５３と回転部材５２の取付部５４とから構成され、把持部５３は片手で握りやすい適宜の形状に形成されている。
【００２８】
取付部５４は、図９に示したように、板状の支持部５５が対峙した状態で形成され、長さ方向中央部に空間部５６が設けられている。そして、各支持部５５の先端部はそれぞれ長さの異なる二股の支片５７，５８に形成され、長さの長い方の各支片５７には、釣り糸引っ掛け部材２に係合させるための鈎部５７ａを内側向きにそれぞれ形成し、長さの短い方の支片５８には、回転部材５２を取り付けるための軸孔５８ａを設けてある。また、対峙する支持部５５の先端部寄りで、且つ二股の分岐点近傍に釣り糸６及び釣り針８をガイドするためと支持部５５の先端部が開かないように連結部５９が一体的に形成されている。なお、図示していないが連結部５９の外側中央部には、釣り糸６及び釣り針８をガイドするためのＶ字状に切り欠いた凹部が形成されている。
【００２９】
回転部材５２は、図１０に示したように、本体部６０の上部から略直角のアーム部６１を一体に突出形成し、該アーム部６１の先端に略楔形状を呈する魚押し部６２を一体に形成してある。この場合に、楔形状の先端が下向きになるようにアーム部６１と直行する状態で魚押し部６２を形成し、該魚押し部６２の先端部中央位置に、釣り針８がガイドされる切り欠き部または凹部６２ａを形成してある。
【００３０】
本体部６０の上部で前記アーム部６１と対向する側に、前記把持部材５１への取付用の軸孔６３を設けると共に、該軸孔６３の下部位置に、回転時に前記連結部５９を避けるための所要大きさの抉り部６４が形成され、該抉り部６４に隣接して傾斜面６５ａを有する突出部６５が形成されると共に、該突出部６５の下部側は内側に曲面をもって凹ませて指掛け部６５ｂを形成する。そして、突出部６５の前面側（図において左側）中央部に、釣り糸６及び釣り針８をガイドするためのＶ字状に切り欠いた凹部６５ｃを縦方向に形成し、該凹部６５ｃは抉り部６４の略中間部位から底部の略中間部位まで達する程度に形成してある。
【００３１】
このように形成された回転部材５２は、前記把持部材５１の空間部５６内に嵌め込むようにして位置させ、把持部材５１側の軸孔５８ａと回転部材５２側の軸孔６３とを位置合わせして軸部材６６を挿通して取り付けることにより、把持部材５１に対して回転部材５２が所要の角度範囲において回転できるのである。
【００３２】
この第３の実施の形態に係る魚外し装置の使用においても、前記第１の実施の形態と同様に、魚を釣り上げた時には、釣り針が掛かったままで魚をバケツ等の容器１内に入れ、釣り糸の引っ掛け部材２に釣り糸６を引っ掛けて一方の手で引っ張り、他方の手で魚外し治具５０の把持部材５１を掴み、回転部材５２の凹部６５ｃに釣り針８または釣り糸６が位置する状態で押さえると共に、鈎部５７ａを引っ掛け部材２の下側から係合させて鈎部５７ａの間で釣り針８または釣り糸６を両側から挟むようにして規制し、魚の動きと釣り針８及び釣り糸６の移動を抑制する。
【００３３】
このように釣り糸６を引っ張ってくると、前記図７について説明したように、釣り針８の基端８ａ側が引っ掛け部材２を越えて、釣り針８の基端８ａを連結部５９のＶ字状凹部で押さえる状態になると共に、魚の重みで必然的に針先８ｂが下を向いた状態になる。なお、魚は、魚押し部６２の存在によって、引っ掛け部材２を越えて手前に来ることはない。そして、釣り針８の針先８ｂが下を向いた時点で、大概の魚は釣り針８から外れるが、それでも外れない場合には、回転部材５２の指掛け部６５ｂに指を掛け引き金を引く要領で複数回操作することよって、魚押し部６２が凹部６２ａで釣り針８にガイドされて鈎部５７ａの間から前進し、魚の口部（頭部）を複数回、針先方向に押圧することによって強制的に魚を釣り針８から外すことができるのである。この場合に、魚押し部６２は、軸部材６６を介して回転するため、釣り針８の曲面に沿って針先方向に前進して魚を外す効率が良いのである。
【００３４】
更に、第４の実施の形態に係る魚外し装置を図１１〜１３に示してある。この実施の形態においても、前記第３の実施の形態と同様に魚外し治具を改良したものであり、バケツ等の容器及び釣り糸の引っ掛け部材については、前記第１の実施の形態のものと実質的に同じものが使用されるので、それらについては詳細な図示と説明は重複するので省略し、同一部分には同一符号を付して説明する。
【００３５】
図１１に示したように、第４の実施の形態に係る魚外し治具７０は、前記第３の実施の形態と同様の硬質材料で形成したものであり、把持部材７１と回転部材７２とにより構成されている。把持部材７１は、把持部７３と回端部材７２の取付部７４とから構成され、把持部７３は片手で握りやすい適宜の形状に形成されている。
【００３６】
取付部７４は、図１２に示したように、板状の支持部７５が対峙した状態で形成され、長さ方向中央部に空間部７６が設けられている。そして、各支持部７５の先端部にはそれぞれ鈎部７７が形成されると共に、先端部寄りで且つ鈎部７７が向く方向とは反対の側面寄りに回転部材７２を取り付けるための軸孔７８を設けてある。また、対峙する支持部７５の先端部寄りで、且つ軸孔７８と対向する側面寄りに釣り糸６及び釣り針８をガイドするためと支持部７５の先端部が開かないように連結部７９が一体的に形成され、該連結部７９の中央部にガイド用のＶ字状凹部７９ａが形成されている。
【００３７】
回転部材７２は、図１３に示したように、その本体部８０が全体の外形として円弧状と直線状とを有する半月状または蒲鉾状を呈するものであり、直線状の部分における一方の端部側の平面部を魚押し部８１に形成し、該魚押し部８１に隣接して、回転時に前記把持部材に７１に設けた連結部７９を避けるための所要大きさの抉り部８２が形成され、更に、該抉り部８２に隣接して突出部８３が一体に形成される。また、直線状の他方の端部側の平面部を指掛け部８４として形成してある。
【００３８】
魚押し部８１は、魚押しの効率を高めるためにその平面部を本体部８０の端面よりも段差８０ａをもって僅かに広く形成すると共に、抉り部８２との境の辺の略中央位置に釣り糸６及び釣り針８をガイドし且つ支持するための切り欠き部８１ａを形成してある。
【００３９】
突出部８３は、抉り部８２との境界部位を抉り部８２側に僅かに突出させ、該突出部に、前記把持部材７１への取付用の軸孔８３ａを設けると共に、該軸孔８３ａを左右に分割するように、長さ方向に沿って中央部に、釣り糸６をガイドするためのＶ字状に切り欠いたガイド凹部８３ｂを形成し、該ガイド凹部８３ｂのＶ字状は指掛け部８４側が拡がった形状に形成してある。
【００４０】
このように形成された回転部材７２は、前記把持部材７１の空間部７６内に嵌め込むようにして位置させ、把持部材７１側の軸孔７８と回転部材７２側の軸孔８３ａとを位置合わせして軸部材８６を挿通して取り付けることにより、把持部材７１に対して回転部材７２が所要の角度範囲において回転できるのである。
【００４１】
この第４の実施の形態に係る魚外し装置の使用においても、前記第１の実施の形態と同様に、魚を釣り上げた時には、釣り針が掛かったままで魚をバケツ等の容器１内に入れ、釣り糸の引っ掛け部材２に釣り糸６を引っ掛けて一方の手で引っ張り、他方の手で魚外し治具７０の把持部材７１を掴み、回転部材７２のガイド凹部８３ｂに釣り針８または釣り糸６が位置する状態で押さえると共に、鈎部７７を引っ掛け部材２の下側から係合させて鈎部７７の間で釣り針８または釣り糸６を両側から挟むようにして規制し、魚の動きと釣り針８及び釣り糸６の移動を抑制する。
【００４２】
このように釣り糸６を引っ張ってくると、前記図７について説明したように、釣り針８の基端８ａ側が引っ掛け部材２を越えて、釣り針８の基端８ａを連結部７９のＶ字状凹部７９ａで押さえる状態になると共に、魚の重みで必然的に針先８ｂが下を向いた状態になる。なお、魚は、魚押し部８１の存在によって、引っ掛け部材２を越えて手前に来ることはない。そして、釣り針８の針先８ｂが下を向いた時点で、大概の魚は釣り針８から外れるが、それでも外れない場合には、回転部材７２の指掛け部８４に指を掛け引き金を引く要領で複数回操作することよって、魚押し部８１が凹部８１ａで釣り針８にガイドされて鈎部７７の間から前進し、魚の口部（頭部）を複数回、針先方向に押圧することによって強制的に魚を釣り針８から外すことができるのである。この場合に、魚押し部８１は、軸部材８６を介して回転するため、釣り針８の曲面に沿って針先方向に前進して魚を外す効率が良いのである。
【００４３】
更にまた、第５の実施の形態に係る魚外し装置を図１４〜１６に示してある。この実施の形態においても、魚外し治具を改良したものであり、バケツ等の容器及び釣り糸の引っ掛け部材については、前記第１の実施の形態のものと実質的に同じものが使用されるので、それらについては詳細な図示と説明は重複するので省略し、同一部分には同一符号を付して説明する。
【００４４】
図１４に示したように、第５の実施の形態に係る魚外し治具９０は、前記第３の実施の形態と同様の硬質材料で形成したものであり、ベース部材９１とスライド部材９２とにより構成され、全体がピストル形状を呈するものである。ベース部材９１は、その上面が全面的に平面であるが、略中央部から先端部側９３と基部側９４とがテーパー状の僅かな段差９１ａをもって一連に形成され、基部側９４の上部に、段差９１ａを僅かに越えて、スライド部材９２の取付部９５を設けると共に、基部側９４の端部から斜め下方に延設して把持部９６が形成されている。
【００４５】
先端部側９３の先端部には、両側面から斜め上方に係止片９７をそれぞれ突出形成し、該各係止片９７の端部に上向きの鈎部９７ａをそれぞれ形成し、これら係止片９７の間には、釣り糸６と釣り針８とをガイドするためのＶ字状のガイド凹部９３ａが形成されている。また、基部側９４には、長さ方向に沿って長孔９４ａが形成され、取付部９５は、その内部に長さ方向に沿って挿通孔９５ａが設けられた、いわゆるトンネル状となっており、該挿通孔９５ａの先端側にデルタ状のストッパー９５ｂが形成されている。
【００４６】
スライド部材９２は、図１６に示したように、前記ベース部材９１の上面形状に略対応した形状を有するものであり、略中央部から先端部側１０１と基部側１０２とがテーパー状の僅かな段差９２ａをもって一連に形成され、先端部側１０１の先端部は、上方に僅かに持ち上げた形状にして矩形状の魚押し部１０３を形成してある。この場合に、魚押し部１０３は、スライド部材９２の断面よりも左右と下部とに拡径した大きさに形成され、その魚押し部１０３の下面には、略中央位置に釣り針８にガイドされるＶ字状の切り欠いた凹部１０３ａを形成し、更に、魚押し部１０３が形成された背面側の下部はテーパー面１０１ａに形成してある。
【００４７】
また、基部側１０２には、その略中央部から下部に延設した操作用の桿部材１０４が形成されると共に、基部側１０２の端部には操作用のプッシュ部１０５が拡径した形状で形成されている。
【００４８】
このように形成したスライド部材９２は、前記ベース部材９１の取付部９５における挿通孔９５ａに組み込まれると、遊嵌状態で且つスライド自在に配設されると共に、桿部材１０４は基部側９４の長孔９４ａから突出した状態になる。
【００４９】
この第５の実施の形態に係る魚外し装置の使用においても、前記第１の実施の形態と同様に、魚を釣り上げた時には、釣り針が掛かったままで魚をバケツ等の容器１内に入れ、釣り糸の引っ掛け部材２に釣り糸６を引っ掛けて一方の手で引っ張り、他方の手で魚外し治具９０の把持部９６を掴み、ベース部材９１の先端部に設けたガイド凹部９３ａに釣り針８または釣り糸６が位置する状態で押さえると共に、鈎部９７ａを引っ掛け部材２の下側から係合させて鈎部９７ａの間で釣り針８または釣り糸６を挟むようにして規制し、魚の動きと釣り糸６の移動を抑制する。
【００５０】
このように釣り糸６を引っ張ってくると、前記図７について説明したように、釣り針８の基端８ａ側が引っ掛け部材２を越えて、釣り針８の基端８ａをガイド凹部９３ａで押さえる状態になると共に、魚の重みで必然的に針先８ｂが下を向いた状態になる。なお、魚は、魚押し部１０３の存在によって、引っ掛け部材２を越えて手前に来ることはない。そして、釣り針８の針先８ｂが下を向いた時点で、大概の魚は釣り針８から外れるが、それでも外れない場合には、把持部９６を掴んでいる手の親指でプッシュ部１０５を複数回押圧操作することよって、スライド部材９２が前進し、魚押し部１０３が鈎部９７ａの間から、釣り針８で凹部１０３ａがガイドされて前進し、且つストッパー９５ｂの傾斜面に段差９２ａの傾斜面がガイドされて魚押し部１０３が下方向に下がって魚の口部（頭部）を針先方向に押圧するようになり、これを複数回行うことにより強制的に魚を釣り針８から外すことができるのである。
【００５１】
釣り針８から魚を外した後に、把持部９６を掴んでいる手の人差し指を桿部材１０４に掛けて、引き金を引く要領で引くと、スライド部材９２は速やかに後退する。この場合に、魚押し部１０３の背面側の下部がテーパー面１０１ａに形成されているので、ベース部材９１の先端部を簡単に乗り越えて元の位置に戻るのである。
【００５２】
いずれの実施の形態においても、釣り上げた魚を入れる容器の上方に設けた釣り糸の引っ掛け部材と、該引っ掛け部材に係合させる鈎部と魚押し部とを有する魚外し治具との連係によって、魚に触れることなく簡単に釣り針から魚を外すことができるのである。
【００５３】
【発明の効果】
以上説明したように、本発明に係る釣り針に掛かった魚外し装置は、釣り上げた魚を入れる容器の上方に水平方向に設けた釣り糸の引っ掛け部材と、該釣り糸と引っ掛け部材とに係合する魚外し治具とからなり、該魚外し治具は、把持部の先端に、前記引っ掛け部材に引っ掛けた釣り針または釣り糸を両側から挟むようにして引っ掛け部材に係合する一対の鈎部を設け、該鈎部の間に前記釣り糸をガイドし且つ釣り針の基端を支持する凹部を設けると共に、該鈎部の間を前進・後退させることができる魚押し部を設けた構成とすることによって、特に、釣り上げた魚を入れる容器の上方に設けた釣り糸の引っ掛け部材と、魚外し治具との組み合わせを不可欠にするものであり、それによって、釣り糸の引っ掛け部材に引っ掛けた釣り針または釣り糸がずれないように魚外し治具で規制すると共に、釣り針の基端側を押さえて針先を下向きにし、更に、魚押し部材を作用させて強制的に魚を外すことができるのであり、魚を掴んだり釣り針を摘んだりすることなく簡単に釣り針から魚を外すことができるという優れた効果を奏する。
【００５４】
また、魚外し治具に釣り糸のガイド用凹部を設けたことによって、釣り糸の引っ掛け部材に引っ掛けた釣り糸に沿って移動させ、鈎部の間で釣り針または釣り糸を挟むように抑制するため、釣り針の基端を確実に支持して針先を下向きに維持することができるのであり、取り扱いが容易で且つスムーズに魚を外すことができるという優れた効果を奏する。
【図面の簡単な説明】
【図１】本発明に係る釣り針に掛かった魚外し装置の第１の実施の形態を略字的に示す斜視図である。
【図２】同実施の形態で使用される魚外し治具の具体例を示す斜視図である。
【図３】同魚外し治具における要部、即ち一対の鈎部の構成を示す斜視図である。
【図４】同実施の形態において魚を外す時の釣り針を維持した状態を説明するための要部のみを略示的に示した説明図である。
【図５】本発明に係る釣り針に掛かった魚外し装置の第２の実施の形態で使用される魚外し治具の具体例を示す斜視図である。
【図６】同魚外し治具における要部、即ち一対の鈎部の構成を示す斜視図である。
【図７】同実施の形態において魚を外す時の釣り針を維持した状態を説明するための要部のみを略示的に示した説明図である。
【図８】本発明に係る釣り針に掛かった魚外し装置の第３の実施の形態で使用される魚外し治具の具体例を示す斜視図である。
【図９】同魚外し治具を構成する把持部材を示す斜視図である。
【図１０】同魚外し治具を構成する回転部材を示す斜視図である。
【図１１】本発明に係る釣り針に掛かった魚外し装置の第４の実施の形態で使用される魚外し治具の具体例を示す斜視図である。
【図１２】同魚外し治具を構成する把持部材を示す斜視図である。
【図１３】同魚外し治具を構成する回転部材を示す斜視図である。
【図１４】本発明に係る釣り針に掛かった魚外し装置の第５の実施の形態で使用される魚外し治具の具体例を示す側面図である。
【図１５】同魚外し治具を構成するベース部材の要部、即ち一対の鈎部の構成を示す斜視図である。
【図１６】同魚外し治具を構成するスライド部材を示す斜視図である。
【符号の説明】
１  容器；  ２  釣り糸の引っ掛け部材；  ２ａ  基端；
３、４０、５０、７０、９０  魚外し治具；
４  取付部材；  ５  締め付け手段；  ６  釣り糸；  ７  魚；
８  釣り針、  ８ａ  針先；  ８ｂ  基端；
３１、４１、５３、７３、９６  把持部；  ４１ａ  保護部；
３２、４２、６２、８１、１０３  魚押し部；
３２ａ、４２ａ、４２ｂ  平面部；  ３２ｂ、８１ａ  切り欠き；
３３、４３  係合部；
３３ａ、４３ａ、５７ａ、７７、９７ａ  一対の鈎部；
３３ｂ、４３ｂ  ガイド部；
３３ｃ、４３ｃ、６２ａ、６５ｃ、７９ａ、１０３ａ  凹部；
５１、７１  把持部材；  ５２、７２  回転部材；  ５４、７４  取付部；
５５、７５  支持部；    ５６、７６  空間部；    ５７、５８  支片；
５８ａ、６３、７８、８３ａ  軸孔；    ５９  連結部；
６０  本体部；  ６１  アーム部；  ６４、８２  抉り部；
６５ｂ、８４  指掛け部；  ６６、８６  軸部材；
８３ｂ、９３ａ  ガイド凹部；  ９１  ベース部材；  ９１ａ  段差；
９２  スライド部材；    ９３、１０１  先端部側；  １０１ａ  テーパー面；
９４、１０２  基部側；  ９４ａ  長孔；  ９５  取付部；
９５ａ  挿通孔；    ９５ｂ  ストッパー；  ９７  係止片；
１０４  桿部材；  １０５  プッシュ部。